(57)【要約】本発明は、非自己完結型トランスポゾン及び／又はトランスポゼース遺伝子を含むトランスジェニック非ヒト哺乳動物及びその作製方法、動物疾患モデル、並びに遺伝子機能の解明方法を提供するものである。
2002013602.tif 000002
【特許請求の範囲】
【請求項１】
ほぼ全細胞に少なくとも１つの非自己完結型トランスポゾン及び少なくとも１つのシグニチャー部位からなる群から選ばれる少なくとも１種を有するトランスジェニック非ヒト哺乳動物。
【請求項２】
ほぼ全細胞に（ｉ）少なくとも１つのトランスポゼース遺伝子及び少なくとも１つの非自己完結型トランスポゾン或いは自己完結型トランスポゾン並びに（ｉｉ）少なくとも１つのシグニチャー部位を有するトランスジェニック非ヒト哺乳動物。
【請求項３】
トランスポゼースを発現する形態でトランスポゼース遺伝子を有するトランスジェニック非ヒト哺乳動物。
【請求項４】
前記非自己完結型トランスポゾン内に少なくとも１つのマーカー遺伝子及び少なくとも１つの遺伝子発現調節配列からなる群から選ばれる少なくとも１種を有する、請求項１又は２に記載のトランスジェニック非ヒト哺乳動物。
【請求項５】
前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項４に記載のトランスジェニック非ヒト哺乳動物。
【請求項６】
前記遺伝子発現調節配列が、プロモーター、エンハンサー、インスレーター、サイレンサー、スプライスアクセプター部位又はスプライスドナー部位からなる群から選ばれる少なくとも１種である請求項４に記載のトランスジェニック非ヒト哺乳動物。
【請求項７】
少なくともいずれかの組織中で、シグニチャー部位の合計数が、細胞の合計数の０．１％以上、好ましくは１％以上、より好ましくは１０％以上である、請求項２に記載のトランスジェニック非ヒト哺乳動物。
【請求項８】
前記非ヒト哺乳動物がマウス又はラットである、請求項１〜３のいずれかに記載のトランスジェニック非ヒト哺乳動物。
【請求項９】
動物幹細胞又は受精卵に非自己完結型トランスポゾンを導入し、該動物幹細胞又は該受精卵から非自己完結型トランスポゾン含有非ヒト哺乳動物を得ることを特徴とする、トランスジェニック非ヒト哺乳動物の作製方法。
【請求項１０】
動物幹細胞又は受精卵にトランスポゼース遺伝子を導入し、該動物幹細胞又は該受精卵からトランスポゼース含有非ヒト哺乳動物を得ることを特徴とする、トランスジェニック非ヒト哺乳動物の作製方法。
【請求項１１】
非自己完結型トランスポゾン含有トランスジェニック非ヒト哺乳動物とトランスポゼース遺伝子含有トランスジェニック非ヒト哺乳動物を交配することを特徴とする、非自己完結型トランスポゾンおよびトランスポゼース遺伝子を有するトランスジェニック非ヒト哺乳動物の作製方法。
【請求項１２】
請求項１１の方法で得ることができる、請求項２に記載のトランスジェニック非ヒト哺乳動物。
【請求項１３】
非自己完結型トランスポゾンおよびトランスポゼース遺伝子を有し、前記非自己完結型トランスポゾンを転位可能な状態で含むトランスジェニック非ヒト哺乳動物とトランスポゼース遺伝子を含まない非ヒト哺乳動物とを交配することを特徴とする、非自己完結型トランスポゾン又はシグニチャー部位を含みトランスポジションがＦＩＸされたトランスジェニック非ヒト哺乳動物の作製方法。
【請求項１４】
請求項１３の方法で得ることができる、請求項１に記載のトランスジェニック非ヒト哺乳動物。
【請求項１５】
（１）動物幹細胞又は受精卵に非自己完結型トランスポゾンを導入して得られた非自己完結型トランスポゾン含有非ヒト哺乳動物と、
（２）動物幹細胞又は受精卵にトランスポゼース遺伝子を導入して得られたトランスポゼース含有非ヒト哺乳動物
とを交配することを特徴とする、非自己完結型トランスポゾンおよびトランスポゼース遺伝子を有するトランスジェニック非ヒト哺乳動物の作製方法。
【請求項１６】
請求項１５の方法で得ることができる、請求項２に記載のトランスジェニック非ヒト哺乳動物。
【請求項１７】
前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項１６に記載のトランスジェニック非ヒト哺乳動物。
【請求項１８】
前記遺伝子発現調節配列が、プロモーター、エンハンサー、インスレーター、サイレンサー、スプライスアクセプター部位又はスプライスドナー部位からなる群から選ばれる少なくとも１種である、請求項１６に記載のトランスジェニック非ヒト哺乳動物。
【請求項１９】
少なくともいずれかの組織中で、シグニチャー部位の合計数が、細胞の合計数の０．１％以上、好ましくは１％以上、より好ましくは１０％以上である、請求項１６に記載のトランスジェニック非ヒト哺乳動物。
【請求項２０】
前記非ヒト哺乳動物がマウス又はラットである、請求項１６に記載のトランスジェニック非ヒト哺乳動物。
【請求項２１】
Ａ）（１）動物幹細胞又は受精卵に非自己完結型トランスポゾンを導入して得られた非自己完結型トランスポゾン含有非ヒト哺乳動物と、
（２）動物幹細胞又は受精卵にトランスポゼース遺伝子を導入して得られたトランスポゼース含有非ヒト哺乳動物とを交配させる工程、
Ｂ）工程Ａ）で得られた非自己完結型トランスポゾンおよびトランスポゼース遺伝子を有し前記非自己完結型トランスポゾンを転位可能な状態で含むトランスジェニック非ヒト哺乳動物と、トランスポゼース遺伝子を含まない非ヒト哺乳動物とを交配する工程
を含むことを特徴とする、非自己完結型トランスポゾン又はシグニチャー部位を含みトランスポジションがＦＩＸされたトランスジェニック非ヒト哺乳動物の作製方法。
【請求項２２】
請求項２１の方法で得ることができる、請求項１に記載のトランスジェニック非ヒト哺乳動物。
【請求項２３】
前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項２２に記載のトランスジェニック非ヒト哺乳動物。
【請求項２４】
前記遺伝子発現調節配列が、プロモーター、エンハンサー、インスレーター、サイレンサー、スプライスアクセプター部位又はスプライスドナー部位からなる群から選ばれる少なくとも１種である、請求項２２に記載のトランスジェニック非ヒト哺乳動物。
【請求項２５】
前記非ヒト哺乳動物がマウス又はラットである、請求項２１に記載のトランスジェニック非ヒト哺乳動物。
【請求項２６】
請求項１４に記載のトランスジェニック非ヒト哺乳動物の疾患に関連する表現型を調べて疾患又は病的状態を有する非ヒト哺乳動物を選抜することを特徴とする、非ヒト哺乳動物疾患モデルの作製方法。
【請求項２７】
請求項１、２、４〜８、１２、１４、１６〜２０、２２〜２５及び２８のいずれかに記載のトランスジェニック非ヒト哺乳動物の表現型変化、並びに非自己完結型トランスポゾン又は自己完結型トランスポゾンの挿入位置及び／又はシグニチャー部位を調べることを特徴とする遺伝子機能の解明方法。
【請求項２８】
Ｂｌｏｏｍ遺伝子の発現効率を調節する手段とトランスポゾンシステムとを組み合わせ、両アレルに変異を導入することを特徴とする、表現型が変化したトランスジェニック非ヒト哺乳動物。
【発明の詳細な説明】
技術分野
本発明は、遺伝子の機能解明に有用な、トランスジェニック非ヒト哺乳動物及びその作製方法、動物疾患モデルの作製方法並びに遺伝子機能の解明方法に関する。
背景技術
現在、ヒトをふくむ各種生物でのゲノム解析が、急速な勢いで世界的に進められている。各種生物においてゲノム解析が完了すれば、遺伝子疾患の原因追究やその治療法および医薬品の開発、進化の歴史の解明など、バイオテクノロジー及び生命科学に応用することが可能になると期待されている。
しかしながら、配列情報だけから遺伝子の機能を知るには限界があり、多くの遺伝子の機能は未解明である。これらの遺伝子を有効利用するためには機能解明が必須であり、機能未解明の遺伝子の機能を解明することが、今後の課題として残されている。
遺伝子の機能を理解するための研究では、細胞の相同的組み換えの特質を利用して、機能的な対立遺伝子をその不活性化したコピーで置き換えることによって、目的とする遺伝子を特異的に破壊する方法（Ｒｕｖｋｕｎ  ｅｔ  Ａｕｓｕｂｅｌ；Ｎａｔｕｒｅ，２８９：８５−８８（１９８１））などが知られる。
トランスジェニック非ヒト哺乳動物もまた、遺伝子機能の解明に用いられてきた。トランスジェニック非ヒト哺乳動物は、外来遺伝子を受精卵や初期胚の段階で導入し、該動物の内在性染色体に組み込むことで作製される。特定遺伝子のみを欠損又は付加等操作することにより、遺伝子欠損又は強制発現と個体レベルの表現型との関係を明らかにしようとするものである。
トランスジェニックマウスを作製するための一般的な技術は、国際公開ＷＯ９１−１３１５０（Ｌｕｄｗｉｇ  Ｉｎｓｔ．Ｃａｎｃｅｒ  Ｒｅｓ．）に記載されている。米国特許第４，８７３，１９１号（Ｗａｇｎｅｒ  ｅｔ  ａｌ．）は、哺乳動物接合体へのＤＮＡのマイクロインジェクションによって得られた、外因性ＤＮＡを有する哺乳動物を教示している。
更に、転位性遺伝因子（トランスポゾン）を内因性ＤＮＡに挿入或いは更に転位させることで、該ＤＮＡの構造変化を起こしてこれを不活性化させ、動植物等の変異体を効率的に作出する方法が研究されてきている。また、トランスポゾンを利用した、染色体への特定遺伝子の導入・付加等が可能となってきている。
ここでトランスポゾンとは、染色体上のある部位から別の部位に移動（転位）し得るＤＮＡセグメント（ＤＮＡ型トランスポゾン）である。ＤＮＡ型トランスポゾン（以下、本明細書では単に「トランスポゾン」という）は、トランスポゼースにより活性化されて転位する。
トランスポゾンは、通常両末端に反復配列（以下、本明細書では「トランスポゾン配列」という）を有し、これがトランスポゼースの認識部位である。該トランスポゾン配列は、トランスポゼースの作用により転位可能であれば、不完全な繰り返し部分を含み得る。
トランスポゾンが挿入されるＤＮＡ中の、トランスポゾンに特有な長さの挿入認識サイトは標的配列と呼ばれる。例えばＳｌｅｅｐｉｎｇ  Ｂｅａｕｔｙ（ＳＢ）トランスポゾンシステム（Ｚ．Ｉｖｉｃｓ  ｅｔ  ａｌ．；Ｃｅｌｌ，９１：５０１−５１０（１９９７））の場合、標的配列はＴＡであり、トランスポゾン挿入後の配列はＴＡ−トランスポゾン−ＴＡである（図５参照）。トランスポゾンの標的配列としては、例えばＴＡ、ＡＴＡＴ，ＴＡＴＡＴＡ、ＴＡＣＡなどが知られている。該文献（Ｚ．Ｉｖｉｃｓ  ｅｔ  ａｌ．；Ｃｅｌｌ，９１：５０１−５１０（１９９７））は培養細胞でのトランスポゾンシステムの発現に関するものであり、成熟した哺乳動物個体又はその臓器、器官等ではトランスポゾンシステムの効果は確認されていない。
動物細胞においては、ショウジョウバエの１種Ｄｒｏｓｏｐｈｉｌａ  ｍａｕｒｉｔｉａｎａからｍａｒｉｎｅｒトランスポゾンが単離され、これを用いてベクターが構築されている。例えばＤｒｏｓｏｐｈｉｌａ  ｍｅｌａｎｏｇａｓｔｅｒのＰ因子トランスポゾンを用いて種々の異種生物染色体ＤＮＡへの組み込みが試みられたが、種特異性の理由から、Ｐ因子ベクターの機能は維持されなかった。Ｄｒｏｓｏｐｈｉｌａ以外のイエバエ、ハヤトビバエ、ノミバエ等のハエを用いた実験では、いずれの場合もＰ因子の転位活性が維持されなかった（Ｈａｎｄｌｅｒ  ｅｔ  ａｌ．；Ａｒｃｈ．Ｉｎｓｅｃｔ  Ｂｉｏｃｈｅｍ．Ｐｈｙｓｉｏｌ．，２２：３７３−３８４（１９９３））。Ｐ因子及びリポーター遺伝子が組み込まれたトランスジェニックゼブラフィッシュは、遺伝的に安定した発現が得られなかった（Ｇｉｂｂｓ  ｅｔ  ａｌ．；Ｍｏｌ．Ｍａｒ．Ｂｉｏｌ．Ｂｉｏｔｅｃｈ．，３：３１７−３２６（１９９４））。
一方、最も研究された真核生物トランスポゾンであるＴｃ１／ｍａｒｉｎｅｒトランスポゾンを異種生物で用いた場合、それらの種特異性は比較的低く転位が起こり易いことが知られている（Ｚ．Ｉｖｉｃｓ  ｅｔ  ａｌ．；Ｃｅｌｌ，９１：５０１−５１０（１９９７））。
このＴｃ１／ｍａｒｉｎｅｒ−ｌｉｋｅトランスポゾンより再構築されるトランスポゾン及びトランスポゼースを含むトランスポゾンシステムの例に、ＳＢトランスポゾン及びＳＢトランスポゼースを含む前記Ｓｌｅｅｐｉｎｇ  Ｂｅａｕｔｙ（ＳＢ）ｔｒａｎｓｐｏｓｏｎ  ｓｙｓｔｅｍがある。このＳＢトランスポゾンをヒトのＨｅｌａ細胞とマウスのＬＭＴＫ細胞へ導入した例（Ｚ．Ｉｖｉｃｓ  ｅｔ  ａｌ．；Ｃｅｌｌ，９１：５０１−５１０（２０００））、マウスの胚性幹（ｅｍｂｒｙｏｎｉｃ  ｓｔｅｍ：ＥＳ）細胞へ導入した例（Ｇ．Ｌｕｏ  ｅｔ  ａｌ．；Ｐｒｏｃ．Ｎａｔｌ．Ａｃａｄ．Ｓｃｉ．ＵＳＡ，９５：１０７６９−１０７７３（１９９８））、ヒト培養細胞に導入した線虫（Ｃａｅｎｏｒｈａｂｄｉｔｉｓ  ｅｌｅｇａｎｓ）由来Ｔｃ１トランスポゾンに活性がみられた例（Ｇ．Ｓｃｈｏｕｔｅｎ  ｅｔ  ａｌ．；Ｎｕｃｌｅｉｃ  Ａｃｉｄｓ  Ｒｅｓ．，２６：３０１３−３０１７（１９９８））が報告されている。しかしながら、例えばマウスの胚性幹細胞へＳＢトランスポゾンを導入した上記例においては、トランスポゾンの転位頻度は外来遺伝子が導入された細胞あたり最大でも３．５×１０−５と極めて低く、所望の細胞を得るためには大量の細胞を扱う必要があった。また、ヒトＨｅｌａ培養細胞に導入した例は、動物個体には適用できない。
哺乳動物におけるトランスポゾンの導入については、ＳＢトランスポゾン及びＳＢトランスポゼース遺伝子を体細胞ゲノム中に血液を介して導入して得られる、トランスポゾンが転位したマウス（ＳＲ  Ｙａｎｔ  ｅｔ  ａｌ．；Ｎａｔｕｒｅ  Ｇｅｎｅｔｉｃｓ，２５：３５−４１（２０００））が報告されている。しかしながら、この場合のトランスポゾン転位頻度は、該遺伝子が導入された肝臓細胞中わずか約５−６％であり、この方法では遺伝子導入の効率が悪く、系統的にトランスジェニック動物を得ることもできない。
また、これまでの方法では、１動物個体の体内で数多くの遺伝子にランダムに変異を導入することが困難であり、その発現頻度も低いものであった。従って、遺伝子変異誘発のための一般的な方法を設計する必要があった。
従って、こうした課題を解決し、ヒト以外の哺乳動物における効率の良い遺伝子導入の技術を確立することが望まれていた。また、こうした技術によって、ヒト疾患モデル動物として病因解明、治療および予防等の研究、創薬開発に利用可能であり、臓器提供用ドナーとしても有用なトランスジェニック非ヒト哺乳動物を作出することが望まれていた。
本発明は、トランスジェニック非ヒト哺乳動物及びその作製方法を提供することを目的とする。
さらに本発明は、遺伝子機能の解明方法を提供することを目的とする。
さらにまた本発明は、動物疾患モデルの作製方法を提供することを目的とする。
また、本発明は、疾患に関連する遺伝子及びタンパク分子を同定することをも目的とする。
発明の開示
本発明者は上述した如き課題に鑑みて、鋭意研究を重ねた結果、トランスポゾンコンストラクト及び／又はトランスポゼース遺伝子を含むトランスジェニック非ヒト哺乳動物およびその作製方法、非ヒト哺乳動物疾患モデル並びに遺伝子機能の解明方法を見出し、ここに本発明を完成するに至った。
本発明は、以下の項１〜項２８に関する。
項１．ほぼ全細胞に少なくとも１つの非自己完結型トランスポゾン及び少なくとも１つのシグニチャー部位からなる群から選ばれる少なくとも１種を有するトランスジェニック非ヒト哺乳動物。
項２．ほぼ全細胞に（ｉ）少なくとも１つのトランスポゼース遺伝子及び少なくとも１つの非自己完結型トランスポゾン或いは自己完結型トランスポゾン並びに（ｉｉ）少なくとも１つのシグニチャー部位を有するトランスジェニック非ヒト哺乳動物。
項３．トランスポゼースを発現する形態でトランスポゼース遺伝子を有するトランスジェニック非ヒト哺乳動物。
項４．前記非自己完結型トランスポゾン内に少なくとも１つのマーカー遺伝子及び少なくとも１つの遺伝子発現調節配列からなる群から選ばれる少なくとも１種を有する、請求項１又は２に記載のトランスジェニック非ヒト哺乳動物。
項５．前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項４に記載のトランスジェニック非ヒト哺乳動物。
項６．前記遺伝子発現調節配列が、プロモーター、エンハンサー、インスレーター、サイレンサー、スプライスアクセプター部位又はスプライスドナー部位からなる群から選ばれる少なくとも１種である請求項４に記載のトランスジェニック非ヒト哺乳動物。
項７．少なくともいずれかの組織中で、シグニチャー部位の合計数が、細胞の合計数の０．１％以上、好ましくは１％以上、より好ましくは１０％以上である、請求項２に記載のトランスジェニック非ヒト哺乳動物。
項８．前記非ヒト哺乳動物がマウス又はラットである、請求項１〜３のいずれかに記載のトランスジェニック非ヒト哺乳動物。
項９．動物幹細胞又は受精卵に非自己完結型トランスポゾンを導入し、該動物幹細胞又は該受精卵から非自己完結型トランスポゾン含有非ヒト哺乳動物を得ることを特徴とする、トランスジェニック非ヒト哺乳動物の作製方法。
項１０．動物幹細胞又は受精卵にトランスポゼース遺伝子を導入し、該動物幹細胞又は該受精卵からトランスポゼース含有非ヒト哺乳動物を得ることを特徴とする、トランスジェニック非ヒト哺乳動物の作製方法。
項１１．非自己完結型トランスポゾン含有トランスジェニック非ヒト哺乳動物とトランスポゼース遺伝子含有トランスジェニック非ヒト哺乳動物を交配することを特徴とする、非自己完結型トランスポゾンおよびトランスポゼース遺伝子を有するトランスジェニック非ヒト哺乳動物の作製方法。
項１２．請求項１１の方法で得ることができる、請求項２に記載のトランスジェニック非ヒト哺乳動物。
項１３．非自己完結型トランスポゾンおよびトランスポゼース遺伝子を有し、前記非自己完結型トランスポゾンを転位可能な状態で含むトランスジェニック非ヒト哺乳動物とトランスポゼース遺伝子を含まない非ヒト哺乳動物とを交配することを特徴とする、非自己完結型トランスポゾン又はシグニチャー部位を含みトランスポジションがＦＩＸされたトランスジェニック非ヒト哺乳動物の作製方法。項１４．請求項１３の方法で得ることができる、請求項１に記載のトランスジェニック非ヒト哺乳動物。
項１５．（１）動物幹細胞又は受精卵に非自己完結型トランスポゾンを導入して得られた非自己完結型トランスポゾン含有非ヒト哺乳動物と、
（２）動物幹細胞又は受精卵にトランスポゼース遺伝子を導入して得られたトランスポゼース含有非ヒト哺乳動物
とを交配することを特徴とする、非自己完結型トランスポゾンおよびトランスポゼース遺伝子を有するトランスジェニック非ヒト哺乳動物の作製方法。
項１６．請求項１５の方法で得ることができる、請求項２に記載のトランスジェニック非ヒト哺乳動物。
項１７．前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項１６に記載のトランスジェニック非ヒト哺乳動物。
項１８．前記遺伝子発現調節配列が、プロモーター、エンハンサー、インスレーター、サイレンサー、スプライスアクセプター部位又はスプライスドナー部位からなる群から選ばれる少なくとも１種である、請求項１６に記載のトランスジェニック非ヒト哺乳動物。
項１９．少なくともいずれかの組織中で、シグニチャー部位の合計数が、細胞の合計数の０．１％以上、好ましくは１％以上、より好ましくは１０％以上である、請求項１６に記載のトランスジェニック非ヒト哺乳動物。
項２０．前記非ヒト哺乳動物がマウス又はラットである、請求項１６に記載のトランスジェニック非ヒト哺乳動物。
項２１．Ａ）（１）動物幹細胞又は受精卵に非自己完結型トランスポゾンを導入して得られた非自己完結型トランスポゾン含有非ヒト哺乳動物と、
（２）動物幹細胞又は受精卵にトランスポゼース遺伝子を導入して得られたトランスポゼース含有非ヒト哺乳動物とを交配させる工程、
Ｂ）工程Ａ）で得られた非自己完結型トランスポゾンおよびトランスポゼース遺伝子を有し前記非自己完結型トランスポゾンを転位可能な状態で含むトランスジェニック非ヒト哺乳動物と、トランスポゼース遺伝子を含まない非ヒト哺乳動物とを交配する工程
を含むことを特徴とする、非自己完結型トランスポゾン又はシグニチャー部位を含みトランスポジションがＦＩＸされたトランスジェニック非ヒト哺乳動物の作製方法。
項２２．請求項２１の方法で得ることができる、請求項１に記載のトランスジェニック非ヒト哺乳動物。
項２３．前記マーカー遺伝子がグリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子である請求項２２に記載のトランスジェニック非ヒト哺乳動物。
項２４．前記遺伝子発現調節配列が、プロモーター、エンハンサー、インスレーター、サイレンサー、スプライスアクセプター部位又はスプライスドナー部位からなる群から選ばれる少なくとも１種である、請求項２２に記載のトランスジェニック非ヒト哺乳動物。
項２５．前記非ヒト哺乳動物がマウス又はラットである、請求項２１に記載のトランスジェニック非ヒト哺乳動物。
項２６．請求項１４に記載のトランスジェニック非ヒト哺乳動物の疾患に関連する表現型を調べて疾患又は病的状態を有する非ヒト哺乳動物を選抜することを特徴とする、非ヒト哺乳動物疾患モデルの作製方法。
項２７．請求項１、２、４〜８、１２、１４、１６〜２０、２２〜２５及び２８のいずれかに記載のトランスジェニック非ヒト哺乳動物の表現型変化、並びに非自己完結型トランスポゾン又は自己完結型トランスポゾンの挿入位置及び／又はシグニチャー部位を調べることを特徴とする遺伝子機能の解明方法。
項２８．Ｂｌｏｏｍ遺伝子の発現効率を調節する手段とトランスポゾンシステムとを組み合わせ、両アレルに変異を導入することを特徴とする、表現型が変化したトランスジェニック非ヒト哺乳動物。
定義
明細書及び図面の簡単な説明では、「ＧＦＰ」はグリーン蛍光タンパク質（Ｇｒｅｅｎ  Ｆｌｕｏｒｅｓｃｅｎｃｅ  Ｐｒｏｔｅｉｎ）を意味し、対応する遺伝子は「ＧＦＰ遺伝子」と記載する。図中においては、「ＧＦＰ］はＧＦＰ遺伝子を意味する。
明細書及び図面の簡単な説明では、Ｓｌｅｅｐｉｎｇ  Ｂｅａｕｔｙ（ＳＢ）トランスポゾンシステムにおけるトランスポゾンはＳＢトランスポゾン、トランスポゼースはＳＢトランスポゼースと記載される。一方、図中においては、「ＳＢ」はＳｌｅｅｐｉｎｇ  Ｂｅａｕｔｙトランスポゼース遺伝子を意味する。
本発明で用いられる要素
本発明において、動物疾患モデル作製及び／又は遺伝子機能解明の対象とし得る非ヒト哺乳動物は、例えば、ブタ、サル、ウシ、ウマ、ヤギ、ヒツジ、ネコ、イヌ、ウサギ、マウス、ラット、又はハムスター等であり、より好ましくは、マウス又はラットである。ここで本発明の非ヒト哺乳動物には、哺乳動物個体だけでなく個体の一部及び個体の有する臓器、器官も包含される。これらはヒト疾患モデルとして、また臓器移植用ドナーとして有用である。
トランスポゾン配列に挟まれる部分には、様々なＤＮＡ配列（例えば、マーカー遺伝子、遺伝子発現調節配列、所望の遺伝子など）を挿入することができ、トランスポゾン配列の他に必要に応じて種々の構成要素を組み合わせたトランスポゾンコンストラクトを構築することができる。
本発明において、トランスポゾンコンストラクト又はトランスポゼース遺伝子を導入する対象となる細胞は、非ヒト哺乳動物個体に分化し得るポテンシャルをもつ細胞であればよく、そのような細胞としては例えば動物幹細胞又は受精卵がある。本明細書において「動物幹細胞」なる語は、非ヒト哺乳動物個体になり得るこうした細胞を包含し、好ましくはＥＳ細胞を利用できる。また、受精卵として核移植された未受精卵を利用できる。ここで用いるＥＳ細胞としては、例えばライフテックオリエンタル社より商業的に入手し得るものが挙げられる。また、核移植された未受精卵に関しては、除核した卵母細胞に成熟マウス体細胞由来の核を導入し、これが分化した例が知られている（Ｔ．Ｗａｋａｙａｍａ  ｅｔ  ａｌ．；Ｎａｔｕｒｅ，３９４：３６９−３７４（１９９８））。
本発明のトランスジェニック非ヒト哺乳動物には、トランスポゾンコンストラクト及びトランスポゼースの一方又は両方を含むｆｏｕｎｄｅｒ（第１世代）だけでなく、該ｆｏｕｎｄｅｒを基に確立されるトランスジェニック非ヒト哺乳動物の系統も当然に包含される。更に、上記トランスジェニック非ヒト哺乳動物系統由来の臓器、組織、卵、精子、および受精卵、トランスジェニック非ヒト哺乳動物の系統から確立される株化細胞、トランスジェニック非ヒト哺乳動物の系統から作出される非ヒト哺乳動物クローン個体もまた本発明の範疇に含まれる。
本発明のトランスポゾンコンストラクトは、トランスポゾン配列の他に種々の構成要素を組み合わせて構築され、動物幹細胞又は受精卵等に導入することができる。
本発明において「トランスポゾン配列」は、トランスポゼースにより認識され非ヒト哺乳動物細胞内で転位可能な天然または人工トランスポゾンＤＮＡ配列を指す。
本発明において、トランスジェニック非ヒト哺乳動物に用いられるトランスポゾン配列及びトランスポゼース遺伝子は、内因性のものでも外来性のものでも制限なく使用できるが、好ましくは外来性のトランスポゾン配列及びトランスポゼース遺伝子を用いることができる。
本発明のトランスポゾンとしては、ＤＮＡ型のトランスポゾンを用いる。
トランスポゾンには、自らの転位を触媒できる活性な酵素トランスポゼースを内部にコードしている自己完結型と、トランスポゼース活性を欠損した非自己完結型がある。トランスポゾン配列又はトランスポゼース遺伝子を各々有する非ヒト哺乳動物を交配させて、トランスポゾン配列及びトランスポゼース遺伝子を有する非ヒト哺乳動物を得る場合、或いは、トランスポジションがＦＩＸされたトランスポゾン配列を有する（トランスポゼース遺伝子を含まない）非ヒト哺乳動物を得る場合、非自己完結型のトランスポゾンを用いる。トランスポゾン及びトランスポゼースを両方含む非ヒト哺乳動物又はシグニチャー部位を含みトランスポゾン及びトランスポゼース遺伝子を含まない非ヒト哺乳動物を得る場合、自己完結型、非自己完結型の両方のトランスポゾンが利用できる。
自己完結型トランスポゾンは、後述するＣｒｅ／ｌｏｘＰシステムを用いて、即ちｌｏｘＰ配列をトランスポゼース遺伝子の両側に有する非ヒト哺乳動物とＣｒｅを有する非ヒト哺乳動物を交配することによりトランスポゼースを切り出すことで、非自己完結型に変換できる。
更に、トランスポゾンには宿主依存型のものと宿主非依存型のものがあり、これらをいずれも用い得る。一般的には宿主非依存型のものを用い得る。
本発明においては、トランスポゾン及びトランスポゼース遺伝子を含むトランスポゾンシステムよりトランスポゾンのみ及び／又はトランスポゼースのみを切り出して用いるか、又はトランスポゼースを不活性化させて、トランスポゾンを非自己完結型として用い得る。本発明の実施に有用なトランスポゾンシステムは、非ヒト哺乳動物細胞で転位可能な任意の配列を包含するものであり、好ましくは、Ｔｃ１／ｍａｒｉｎｅｒスーパーファミリーのメンバーを用い得る。例として、Ｔｃ１、ＳＢ、Ｍｉｎｏｓ、Ｔｘｒ、Ｔｃ３等のＴｃ１トランスポゾンファミリー、Ｃａｅｎｏｒｈａｂｄｉｔｉｓ  ｅｌｅｇａｎｓ、Ｍｏｓ１、Ｈｙａｌｏｐｈｏｒａ  ｃｅｃｒｏｐｉａ等のｍａｒｉｎｅｒトランスポゾンファミリー、Ｐｏｇｏ、Ｔｉｇｇｅｒ、Ｔｃ４等のＰｏｇｏトランスポゾンファミリーが挙げられる（ＲＨ  Ｐｌａｓｔｅｒｋ  ｅｔ  ａｌ；Ｔｒｅｎｄｓ  ｉｎ  ｇｅｎｅｔｉｃｓ，１５：Ｎｏ．８：３２６−３３２（１９９９））。最も好ましくは、ＳＢ（Ｓｌｅｅｐｉｎｇ  Ｂｅａｕｔｙ）トランスポゾンを用い得る。非自己完結型トランスポゾンは、自己完結型トランスポゾンのトランスポゼース遺伝子を除去又は不活性化することにより得ることができる。
一般的なトランスポゾンシステムの入手については、例えばＳＢトランスポゾンシステムは（Ｚ．Ｉｖｉｃｓ  ｅｔ  ａｌ．；Ｃｅｌｌ，９１：５０１−５１０（２０００））、Ｍｉｎｏｓトランスポゾンシステムは（Ａ．Ｇ．Ｋｌｉｎａｋｉｓ  ｅｔ  ａｌ．；ＥＭＢＯ  Ｒｅｐｏｒｔｓ  １，５：４１６−４２１（２０００））等の文献を参照できる。
以下においては、トランスポゾンとして非自己完結型トランスポゾンを用いた例を示すが、非自己完結型トランスポゾン及びトランスポゼースの代わりに、トランスポゼース遺伝子を含む自己完結型トランスポゾンを用いることも可能である。
本発明で用いるトランスポゾンコンストラクトの成分は、限定されるものではないが、トランスポゾン配列の他に、トランスポゾンコンストラクトを構築するために用いるベクター由来の配列（ｐＢｌｕｅｓｃｒｉｐｔなど）；１種以上のマーカー遺伝子（レポーター遺伝子及び選択マーカー遺伝子を含む）；シグナル配列（核移行シグナル、膜結合シグナルなどを含む）、プロモーター、エンハンサー、サイレンサー、インスレーター、スプライスアクセプター、スプライスドナー、ｌｏｘＰ、ＦＲＴ、ポリＡシグナル、転写停止配列などの遺伝子発現調節配列；のうち１種以上を含み得る。トランスポゾンコンストラクトには、トランスポゾン配列のみから構成されるものも当然に包含される。また、トランスポゾンコンストラクトとして、トランスポゼース遺伝子を含む、自己完結型トランスポゾンに対応するトランスポゾンコンストラクトを用いることもできる。
トランスポゾンコンストラクトにおいて、トランスポゾン配列内には他の構成要素を組み込む必要は必ずしもないが、ＧＦＰ、イエロー蛍光タンパク質（ＹＦＰ）などのレポーター遺伝子、抗生物質耐性遺伝子などの選択マーカー遺伝子が挙げられ、これらの遺伝子の５’側にプロモーター、３’側にポリＡ配列を連結するのが好ましい。
例えば転位の結果トランスポゾン配列が遺伝子のエクソン部分に挿入された場合や、トランスポゾン配列中に遺伝子発現調節配列、例えばプロモーター、エンハンサー、サイレンサー、スプライスアクセプター部位又はスプライスドナー部位などが挿入されている場合には、トランスポゾン挿入部位における遺伝子の機能が破壊、低下又は活性化される。
トランスポゾン配列は、同一の染色体内で転位することが多い。よって、トランスポゾンコンストラクトにおいて、例えば、ｌｏｘＰ配列をトランスポゾン配列の内外に１つずつ導入しておき、トランスポゼースによりトランスポゾン配列を転位させる。次にＣｒｅリコンビネースを作用させることで、トランスポゾン配列外側のｌｏｘＰ配列とトランスポゾン内側のｌｏｘＰ配列との間の染色体領域を欠失できる。この領域には、通常は一対存在する遺伝子が１つしか存在しなくなることから、更に変異を導入して劣性の遺伝をスクリーニングすることが容易となる（図６参照）。
本発明のトランスポゼース遺伝子はトランスポゼース遺伝子の他に種々の構成要素を組み合わせたトランスポゼースコンストラクトとして受精卵等の細胞に導入することができる。本発明において「トランスポゼース遺伝子」とは、該遺伝子により発現されたトランスポゼースがトランスポゾン転位活性を有するものを指す。該遺伝子はトランスポゼースを発現できる状態で動物幹細胞、受精卵等に導入されるのが好ましい。
本発明で用いることのできるトランスポゼースコンストラクトの成分は、限定されるものではないが、トランスポゼース遺伝子の他に、例えば、プロモーター、エンハンサー、ポリＡシグナル等を含む。トランスポゼース遺伝子の５’側には、プロモーターが好ましく組み込まれるが、トランスポゼース遺伝子の３’側にプロモーターが存在する場合もあり、プロモーターは必須ではない。本発明において、好ましいトランスポゼースコンストラクトは、５’側からプロモーター、トランスポゼース遺伝子、ポリＡをこの順に含むものである。
本発明において、「シグニチャー部位」とは、トランスポゾン配列が切り出されて転位した結果として現れる部位を指す。例えば本発明でＳＢトランスポゾンを用いた場合、シグニチャー部位は、標的配列であるＴＡの重複の間にトランスポゾン末端配列の３塩基が挿入された「ＴＡｃａｇＴＡ」或いは「ＴＡｃｔｇＴＡ」という配列を含む（図２ｄ参照）。但し、トランスポゾンが移動してもシグニチャー部位が上記特定の完全な配列を有しない場合もあり、本発明においては、こうした不完全な配列を含む部位もシグニチャー部位と見なす。
請求項２８において、「両アレルに変異を導入する」とは、トランスポゾンがゲノムから切り出されゲノム上の異なる箇所へ転位したことによる場合と、シグニチャー部位による場合の両方を指す。
本発明で用いるマーカー遺伝子に包含される選択マーカー遺伝子ないしレポーター遺伝子としては、例えば、抗生物質耐性を付与するＮｅｏｍｙｃｉｎ耐性遺伝子、Ｐｕｒｏｍｙｃｉｎ耐性遺伝子、Ｈｙｇｒｏｍｙｃｉｎ耐性遺伝子、グリーン蛍光蛋白質（ＧＦＰ）遺伝子、イエロー蛍光蛋白質（ＹＦＰ）遺伝子、レッド蛍光蛋白質（ＲＦＰ）遺伝子、ブルー蛍光蛋白質（ＢＦＰ）遺伝子、シアン蛍光蛋白質（ＣＦＰ）遺伝子、ｌａｃＺ遺伝子、ｌｕｃｉｆｅｒａｓｅ遺伝子、又はＣｈｌｏｒａｍｐｈｅｎｉｃｏｌ  Ａｃｅｔｙｌ  Ｔｒａｎｓｆｅｒａｓｅ（ＣＡＴ）遺伝子等があり、目的及び必要に応じて適宜選択し得る。
本発明で用いる用語「プロモーター」は、転写開始点から上流の、そして転写を開始するためのＲＮＡポリメラーゼおよび他のタンパク質の認識および結合に関与するＤＮＡ領域をいう。
本発明において用い得るプロモーターは、非ヒト哺乳動物の細胞又は組織で活性なプロモーターであれば特に限定されない。例として、ＰＧＫプロモーター、ＣＡＧプロモーター、ＰｏｌＩＩプロモーターが挙げられる。
プロモーターの基礎転写活性はエンハンサー配列の存在により増加できる。その機構は明らかにされていないが、ある種の明らかにされたエンハンサー調節配列はプロモーターの近くに存在する場合、プロモーターの転写速度を増加させることが当業者には知られている。
本発明において用い得るエンハンサーは、非ヒト哺乳動物の細胞又は組織で活性なエンハンサーであれば特に限定されない。例として、ヒトサイトメガロウィルス（ＨＣＭＶ）エンハンサー等が目的及び必要に応じて適宜選択し得る。
また、ホルモン或いはテトラサイクリン等の抗生物質に依存して発現誘導性をもつプロモーター或いはエンハンサーをトランスポゼースコンストラクトに用いた場合、ホルモン或いはテトラサイクリン等の抗生物質の投与又は非投与により、トランスポゾンの転位を時期特異的にも組織特異的にも調節することができる。
本発明において用い得るサイレンサーは、非ヒト哺乳動物の細胞又は組織で活性なサイレンサーであれば特に限定されない。本発明の１実施態様においては、トランスポゾン配列内の成分としてサイレンサーを用いることにより、変異の発現を抑制し得る。サイレンサーの例としては、（Ｓ．Ｓａｗａｄａ  ｅｔ  ａｌ．；Ｃｅｌｌ，７７：９１７−９２９（１９９４））等を参考とし得る。
本発明において用い得るインスレーターは、非ヒト哺乳動物の細胞又は組織で活性の高いインスレーターであれば特に限定されない。本発明の１実施態様においては、トランスポゾン配列内の成分としてインスレーターを用いることにより、トランスポゾン配列挿入部位の周囲の配列等に依存せずにトランスポゾン配列内の遺伝子の発現を行うことができる。インスレーターの例としては、（ＪＨ．Ｃｈｕｎｇ  ｅｔ  ａｌ．；Ｃｅｌｌ，７４：５０５−５１４（１９９３））等を参考とし得る。
本発明の１実施態様によれば、転写停止配列を含むトランスポゾン配列を非ヒト哺乳動物に導入し得る。転写停止配列としては、例としてＣ２  ｔｅｒｍｉｎａｔｉｏｎ  ｓｉｇｎａｌ（Ｒ．Ａｓｈｆｉｅｌｄ  ｅｔ  ａｌ．；ＥＭＢＯ  Ｊ，１０：４１９７−４２０７（１９９１））が挙げられる。
本発明において用い得るシグナル配列は、目的とする細胞又は組織で活性の高いシグナル配列であれば特に限定されない。本発明の１実施態様においては、トランスポゾンコンストラクト内の成分としてシグナル配列（例えばトランスメンブレンシグナル）を用いることにより、遺伝子の機能が修飾された細胞において、マーカー（例えばＧＦＰ）を目的とする部位（例えば膜表面）に集めることが可能であり、遺伝子機能の分析をより効率の良いものにし得る。
本発明の１実施態様によれば、活性の強い又は弱いスプライスアクセプター部位を含むトランスポゾン配列を非ヒト哺乳動物に導入し得る。スプライスアクセプター部位としては、例えばＲＮＡスプライシングで働くイントロンの３’末端にあり、ＡＧ配列を含むヌクレオチド配列が例示される。
本発明の１実施態様によれば、活性の強い又は弱いスプライスドナー部位を含むトランスポゾン配列を非ヒト哺乳動物に導入し得る。スプライスドナー部位としては、例えばＲＮＡスプライシングで働くイントロンの５’末端にあり、ＧＴ配列を含むヌクレオチド配列が例示される。スプライスアクセプター及びスプライスドナーの強弱は、例えばスプライシング可能なイントロン配列の長さにより評価することができる。
トランスポゾンの転位はランダムであるが、本発明の１実施態様においては、細胞が重度の成長障害を起こすなど、トランスポゾンの転位に基づく変異が致死的に及ぶことを防ぐために、トランスポゼースコンストラクト内に種々の程度の発現誘導性をもつプロモーター或いはエンハンサーを用いて、転位発現率の調整を行ない得る。このようにすることで、生命に必須の遺伝子の機能を解明することができる。
また、トランスポゾンコンストラクトにおける遺伝子発現調節配列（スプライスアクセプター、スプライスドナー、エンハンサーなど）の作用性の強弱を調整することで、遺伝子機能の破壊の程度を調整し得る。
更に、遺伝子改変をより柔軟かつ精巧に行うために、必須成分としてスプライスアクセプター、スプライスドナー、ｐｏｌｙＡ付加シグナル、プロモーターを含む遺伝子トラップベクターを構築し、本願におけるトランスポゾンコンストラクトとして適用し得る。
１実施例として、該トラップベクターは、トランスポゾン配列間に上流からスプライスアクセプター、ＩＲＥＳ（ｉｎｔｅｒｎａｌ  ｒｉｂｏｓｏｍｅ  ｅｎｔｒｙ  ｓｉｔｅ）配列、ｌａｃＺマーカー、ｐｏｌｙＡ付加シグナル、ＣＡＧプロモーター、ＧＦＰマーカー、スプライスドナーをこの順で含む（図７参照）。ここでスプライスアクセプター及びスプライスドナーは、内在性の遺伝子をキャッチするために用いられる。ＩＲＥＳ配列は、ｌａｃＺ遺伝子を内在遺伝子とは独立に発現させる配列である。該トラップベクターに含まれる成分の替わりとして、同様の機能をもつ上述の成分を代用し得る。このベクターでは、ＧＦＰ遺伝子がｕｂｉｑｕｉｔｏｕｓで強力なＣＡＧプロモーターで制御されており、且つ、その下流にスプライスドナーが存在するため、遺伝子がトラップされていれば発光によりこれを検出できる。同時に、３’末端のＲＮＡを用いて３’ＲＡＣＥを行うことにより、トラップされた遺伝子を同定できる。スプライスアクセプターも同時に存在するため、その下流にあるｌａｃＺ遺伝子の発現を解析することで、トラップされた遺伝子の発現部位を特定できる。
本発明において、非ヒト哺乳動物になり得る細胞（ＥＳ細胞、受精卵等）へのトランスポゾン配列またはトランスポゼース遺伝子導入のために用いる方法としては公知の方法が使用できる。好ましくは、例えばＥＳ細胞への導入法としてレトロウィルスベクター又はエレクトロポレーション、受精卵への導入法としてマイクロインジェクションなどが挙げられる。マイクロインジェクション法を用いたトランスジェニック動物作製に関する基本特許として米国特許第４，８７３，１９１号（Ｗａｇｎｅｒ  ｅｔ  ａｌ．）が挙げられる。
トランスポゾン配列またはトランスポゼース遺伝子が導入されたＥＳ細胞は、非ヒト哺乳動物の胚盤胞へ注入され、さらに偽妊娠の雌非ヒト哺乳動物の子宮へ移植される。例えば非ヒト哺乳動物がマウス又はラットの場合、その後２週間強でキメラマウスが誕生する。また、受精卵を用いる場合には、受精卵の雄性前核へトランスポゾン配列またはトランスポゼース遺伝子を注入し、その注入された受精卵を偽妊娠の雌非ヒト哺乳動物の卵管へ移植する。例えば非ヒト哺乳動物がマウスである場合、その後２０日前後でｆｏｕｎｄｅｒマウスが産まれる。
本発明の方法の特徴
本発明の方法の１実施態様として図３に例示するように、本発明において、「トランスポゼース遺伝子を有するトランスジェニック非ヒト哺乳動物」と「非自己完結型トランスポゾン含有トランスジェニック非ヒト哺乳動物」とを交配して、「トランスポゼース遺伝子及びトランスポゾン含有トランスジェニック非ヒト哺乳動物」を得ることができる。この方法によると、同様の親を交配させることにより、同一遺伝子をもつ仔哺乳動物を新たに得ることができる。この方法によれば、トランスポゾンコンストラクトのみが導入されたことによる哺乳動物における表現型に与える影響をあらかじめ知ることができる。同様に、トランスポゼースコンストラクトのみが導入されたことによる哺乳動物における表現型に与える影響をあらかじめ知ることができる。
或いは、トランスポゼース遺伝子及びトランスポゾンを初めから導入した、交配によらない「トランスポゼース遺伝子及びトランスポゾン含有トランスジェニック非ヒト哺乳動物」を得ることもできる。この方法によれば親同士を交配する必要がないため、手間や時間、コスト面で効率がよい。
この「トランスポゼース遺伝子及びトランスポゾン含有トランスジェニック非ヒト哺乳動物」において、トランスポゾンは転位可能な状態で含まれるため染色体上の任意の部位に転位可能であり、この転位により染色体上の任意部位の遺伝子機能を破壊、低下ないし活性化することが可能である。
更に、「トランスポゼース遺伝子及びトランスポゾン配列含有トランスジェニック非ヒト哺乳動物」と［トランスポゼースを含まない非ヒト哺乳動物」を交配して、「トランスポゾンを有するがトランスポゼース遺伝子を有しない非ヒト哺乳動物」を得ることができる。トランスポゼースがｌｏｘＰで挟まれている場合、Ｃｒｅを含む非ヒト哺乳動物と交配してもよい。
１実施態様として図３を参照すると、本発明の項２の「ほぼ全細胞に（ｉ）少なくとも１つのトランスポゼース遺伝子及び少なくとも１つの非自己完結型トランスポゾン或いは自己完結型トランスポゾン並びに（ｉｉ）少なくとも１つのシグニチャー部位を有するトランスジェニック非ヒト哺乳動物」は、「ＧＦＰを任意成分として内部に含むトランスポゾン配列（ＴＰ）とトランスポゼース遺伝子（ＳＢ）を両方有するトランスジェニック非ヒト哺乳動物（以下、「ＴＰ−ＳＢ哺乳動物」ということがある）」に対応し、「ＧＦＰを任意成分として内部に含むトランスポゾン配列（ＴＰ）を有するがトランスポゼース遺伝子（ＳＢ）を有しない非ヒト哺乳動物（以下、「ＴＰ哺乳動物」ということがある）」と、「トランスポゼース遺伝子（ＳＢ）を有するがトランスポゾン配列を有しない非ヒト哺乳動物（以下、「ＳＢ哺乳動物」ということがある）」を交配して得られるものである。
項２の非ヒト哺乳動物はトランスポゾン或いはシグニチャー部位を有する動物幹細胞又は受精卵から誘導されているので、本質的に全ての細胞においてトランスポゼース遺伝子を有するはずであるが、トランスポゾンが切り出される際にシグニチャー部位を残さず且つ転位しないこともあり得るので、「ほぼ全細胞」と表現した。「ほぼ全細胞」はこのような特別な細胞を除く全細胞を意味する。上記非ヒト哺乳動物は、その各細胞においてトランスポゾンがランダムに転位しており、そのため、トランスポゾンにより導入された遺伝子変異に関して個体全体として統一的な変異が見いだされないものである。
一方、項１のトランスジェニック哺乳動物のうち「ＴＰ−ＳＢ哺乳動物」と「トランスポゼースを含まない非ヒト哺乳動物」を交配して得られるものは、「ＴＰ−ＳＢ哺乳動物」のシグニチャー配列に基づく遺伝子変異が受精卵の段階で既に存在し、哺乳動物個体のほぼ全細胞で共通のシグニチャー部位を含むものである。項１の「ほぼ全細胞」も、項２と同様な意味である。
本発明においては、所望のトランスジェニック非ヒト哺乳動物をプレスクリーニングし得る。プレスクリーニングの方法としては、例えばｇｅｎｅｔｒａｐ法を用いることができる（Ｚａｍｂｒｏｗｉｃｚ  ｅｔ  ａｌ．；Ｎａｔｕｒｅ，３９２：６０８−６１１（１９９８）；Ｇｏｓｓｌｅｒ，Ａ．ｅｔ  ａｌ．；Ｓｃｉｅｎｃｅ，２４４：４６３−４６５（１９８９）；Ｓｋａｒｎｅｓ，Ｗ．Ｃ．ｅｔ  ａｌ．；Ｇｅｎｅｓ  Ｄｅｖ，６：９０３−９１８（１９９２）；Ｆｒｉｅｄｒｉｃｈ，Ｇ．ｅｔ  ａｌ．；Ｇｅｎｅｓ  Ｄｅｖ，５：１５１３−１５２３（１９９１））。
このように、プレスクリーニングを行うことにより遺伝子機能の解明に有望なトランスジェニック非ヒト哺乳動物を予め選抜し、その後２世代以上の交配或いはその他適宜の手段により、１対の染色体の両遺伝子が変異したトランスジェニック非ヒト哺乳動物を得ることができる。
遺伝子破壊してその表現型を解析する手法は、遺伝子機能を解明するための有効な手段である。哺乳動物個体、特にマウスで網羅的に遺伝子破壊を起こし表現型を解析するためには、克服しなければいけない大きな問題点が二つある。一番目は、網羅的に遺伝子破壊を起こし表現型を目安に遺伝子機能を探る手法、いわゆるフォワードジェネティックスが整備されていないことである。二番目は、遺伝子が一対（両アレル）あるために片側の遺伝子を破壊しただけでは表現型が現れないことである。両アレル変異を導入するためには、現在のところ片側の遺伝子が破壊された個体同士の交配に依存している。つまり、両アレル変異導入個体を得るための交配に長時間をかける必要性がある。
一番目の問題点は、本発明において新たに開発したトランスポゾンシステムで克服できる。二番目の問題点は、迅速な両アレル変異導入法により克服できる。
二番目の問題点を克服するための具体的手段として、両アレル変異を有する細胞が高頻度に現れるＢｌｏｏｍ遺伝子ノックアウトマウスを用いることができる（Ｇ．Ｌｕｏ  ｅｔ  ａｌ．；Ｎａｔｕｒｅ  Ｇｅｎｅｔｉｃｓ，２６：４２４−４２９（２０００））。但し、完全なＢｌｏｏｍ遺伝子ノックアウトマウスは致死性であり（Ｎ．Ｃｈｅｓｔｅｒ  ｅｔ  ａｌ．；Ｇｅｎｅｓ  ａｎｄ  Ｄｅｖ．，１２：３３８２−３３９３（１９９８））、二番目の問題点を克服できない可能性がある。
そこで、本発明者らは、Ｂｌｏｏｍ遺伝子の発現を自由に調節できうる様なマウスをｔｅｔＯＦＦのシステム（ＣＴ．Ｂｏｎｄ  ｅｔ  ａｌ．；Ｓｃｉｅｎｃｅ，２８９：１９４２−１９４６（２０００））を用いて作製中である（図８参照）。Ｂｌｏｏｍ遺伝子はＤＮＡ  ｈｅｌｉｃａｓｅをコードし、その活性が欠損すると、ｓｉｓｔｅｒ  ｃｈｒｏｍａｔｉｄ  ｅｘｃｈａｎｇｅ（ＳＣＥ）が起こり、同時に別のｃｈｒｏｍａｔｉｄとの交換も起こる。従って、Ｂｌｏｏｍ遺伝子を欠損させると、４倍体の状態で組換えが起こり、一対の遺伝子が両方とも変異した細胞を、個体の一部で生じさせ得る。
例としてＢｌｏｏｍ遺伝子のＯＮ／ＯＦＦをテトラサイクリン依存的に行うようにしておくと（Ａ．Ｋｉｓｔｎｅｒ  ｅｔ  ａｌ．；Ｐｒｏｃ．Ｎａｔｌ．Ａｃａｄ．Ｓｃｉ．ＵＳＡ，９３：１０９３３−１０９３８（１９９６））、テトラサイクリンを与える又は与えない時期を調節することで、時期特異的に、より多くの組換えを誘発し、一対の変異遺伝子を有する細胞に導くことができる。従って、交配を繰り返すことなく、一対の遺伝子の変異した非ヒト哺乳動物を得ることができる。時期特異的に変異を導入するには、例えば、ペレット（ｐｅｌｌｅｔ）を持続的に非ヒト哺乳動物母体に経口投与することで、一対の遺伝子の変異した胎児を得ることができる。
Ｂｌｏｏｍ遺伝子を調節可能に発現させるための一例としてのテトラサイクリンレギュレータブルユニット（ｔｅｔｒａｃｙｃｌｉｎ  ｒｅｇｕｌａｔａｂｌｅ  ｕｎｉｔ）のような手段の導入は、トランスポゾンシステムと組み合わせて行う。例えば、トランスポゾンコンストラクト、トランスポゼース、自己完結型トランスポゾンなどが導入される受精卵等に予めＢｌｏｏｍ遺伝子を調節可能に発現する手段を導入しておいて交配を行う。得られたトランスポゾン転位部位が導入されたマウスに、Ｂｌｏｏｍ遺伝子の発現を抑制する手段（例えばテトラサイクリンの投与）を実施することで、トランスポゾンシステムにより得られた遺伝子の変異を両アレルに導入し、表現型の確認を迅速に行うことができる。
本発明において選択マーカー遺伝子を用いない場合は、該トランスジェニック非ヒト哺乳動物の細胞からＤＮＡを抽出し、サザンブロット法により転位の有無を調べることで、スクリーニングを行ない得る。
本発明によれば、動物体内で、効率のよいトランスポゾン配列の転位を達成することができる。トランスポゾンを用いた変異の導入法によれば、他の方法に比べ、多種多様な表現型をもつ非ヒト哺乳動物を効率よく且つランダムに得ることが可能となる。本発明のトランスジェニック非ヒト哺乳動物は、遺伝子機能研究において、多様な遺伝子変異を導入することにより、複雑な生命現象を解明するためのツールとしてきわめて有用である。
また、Ｐｒｏｃ．Ｎａｔｌ．Ａｃａｄ．Ｓｃｉ．ＵＳＡ．，ｖｏｌ．９５：１０７６９−１０７７３，１９９８に記載されるように、細胞におけるトランスポゾンの発現頻度は細胞あたり最大で３．５×１０−５と極めて低い。これに対して、本発明による個体でのトランスポゾン発現率は、例えば実施例においては全マウス中４２％、ＧＦＰ遺伝子陽性マウス中最大８０％であり、著しく高いという特徴をもつ。このようにトランスポゾン発現システムが動物またはその組織、器官などの細胞集合体となることでトランスポゾンの転位効率が飛躍的に高まったのは、本発明において初めて見出された知見である。
本発明の１実施態様によれば、遺伝子機能を解明する手段として、ランダムにトランスポゾンコンストラクトを導入したトランスジェニック非ヒト哺乳動物群の中から、マーカー或いは他の手段によりランダムに導入された変異を有する個体を見出すことが可能である。
遺伝子機能を網羅的に解析するには、トランスポゾンがゲノムのより多くの部位へ転位する必要がある。本発明の項２によれば、「ほぼ全細胞に（ｉ）少なくとも１つのトランスポゼース遺伝子及び少なくとも１つの非自己完結型トランスポゾン或いは自己完結型トランスポゾン並びに（ｉｉ）少なくとも１つのシグニチャー部位を有するトランスジェニック非ヒト哺乳動物」を得ることができる。例えばマウスを対象とした本願実施例によると、細胞１０個当たり１個以上の割合でシグニチャー部位を導入することができ、その結果種々雑多な細胞をモザイク状にもつそのような「種マウス」が得られ、該マウスは１個体当たり約１万以上の転位部位を有するとの結果を得ている。従って、異なる種マウスから変異マウスを作製することにより、約３万以上あるとされる遺伝子のほぼ全てについて網羅的に変異導入することも可能である。このように、変異を有する非ヒト哺乳動物個体を解析する際、本発明では遺伝子変異の発現頻度が極めて高いので、複数の変異をもつ非ヒト哺乳動物が１個体得られれば、多くの変異の機能変化を一度で分析することができ、遺伝子機能の解明を極めて効率的に行うことができる。
また、変異導入の対象としてマウスを例にとると、従来のＥＳ細胞への変異導入法であれば、１つの細胞からわずか１匹のトランスジェニックマウスしか得られなかった。一方、本発明のトランスジェニック非ヒト哺乳動物作製方法によれば、得られた「ほぼ全細胞に少なくとも１つの非自己完結型トランスポゾン及び少なくとも１つのシグニチャー部位からなる群から選ばれる少なくとも１種を有するトランスジェニック非ヒト哺乳動物（例えばマウス）」を種マウスとすると、１匹の個体から１０万種類のトランスジェニック個体を産ませることができる（図９参照）。即ち、１匹のマウスから膨大な種類のトランスポジションをもつ子が産まれるとの利点があり、生命現象を解明するために種々雑多な変異個体を得ることができる。
本発明によれば、得られたトランスジェニック非ヒト哺乳動物を交配することで、トランスポジションがＦＩＸされた遺伝子解明上有用な非ヒト哺乳動物を得ることが可能である。ここで「トランスポジションがＦＩＸされた」とは、活性なトランスポゼースを有さないためトランスポゾンの転位によるシグニチャー部位数が増加しないことを意味する。具体的には、少なくとも１つのシグニチャー部位を有しトランスポゾンが存在するがトランスポゼースが存在しない又は不活性である場合、少なくとも１つのシグニチャー部位を有するがトランスポゾンが存在しない場合のいずれかを指す。
このようなトランスジェニック哺乳動物個体が得られれば、１個体を調べることで、対応する１種の遺伝子機能をシンプルに解析することができる。また、特定の変異を有する個体について、その成長過程に伴い該変異の影響を調べることができる。また、こうした非ヒト哺乳動物の中で何らかの機能を欠損したものについて、例えばスプライスアクセプターを含むトランスポゾン配列を用い、トランスポゼースをその受精卵に加えるか或いはトランスポゼースを有する非ヒト哺乳動物と交配することで該トランスポゾン配列を除去し、その結果機能が回復するかどうかを見ることにより、特定の機能に関与する原因遺伝子を確認することができる。
本発明では、トランスポゾンにより変異を導入しているため、突然変異誘発物質などを用いて変異を導入するのと比較して、どこに変異が導入されたのかをシグニチャー配列或いはトランスポゾンコンストラクト由来の配列を利用してＰＣＲ等の適当な方法により、容易に検出することができる。
また、本発明の実施態様においては、培養細胞でなく個体の非ヒト哺乳動物で遺伝子変異を導入することにより、個体レベルでの遺伝子機能の解析が可能である。また、非ヒト哺乳動物個体を生存させたままの状態では操作が困難な組織に対しても、外部から手を加えることなしに、個体体内で遺伝子変異を導入し得る。
さらに、同じ組織内であっても転位部位が異なり、従って遺伝的に異なる一群の細胞が存在するので、血液系、免疫系などの任意の組織・臓器・器官で、増殖、分化等における細胞系譜を系統的に調べることができる。
本願発明の第２の態様によれば、本発明の新規な非ヒト哺乳動物、特にマウスは、遺伝子機能解明のための便利なモデルシステムを提供する。本発明のこの実施態様は、生きた動物モデルにおいて遺伝性疾患の研究のための疾患モデルシステムを提供し得る。該システムにおいて、動物モデルに導入される疾患遺伝子としては、ヒト疾患原因遺伝子、または非ヒト哺乳動物におけるその相同遺伝子がｃＤＮＡの遺伝子全長、ｃＤＮＡの遺伝子断片、ゲノムＤＮＡの遺伝子全長、或いはゲノムＤＮＡの遺伝子断片であるものが挙げられる。疾患原因遺伝子は、非ヒト哺乳動物に導入して、得られたトランスジェニック非ヒト哺乳動物をヒト疾患モデル動物として研究に供し得るものであればいずれでも良く、特に限定されないが、ヒト疾患原因遺伝子であるのが好適である。
本発明の１実施態様によれば、種々のエンハンサーを含むトランスポゾンがガン原遺伝子の近傍に転位した場合、これらを包含する細胞においては結果的にガンが発現するため、これによりガン原遺伝子をスクリーニングできる。特に、トランスポゾン配列とトランスポゼース遺伝子を両方含むトランスジェニック非ヒト哺乳動物を用いた場合、ガン原遺伝子の発現はクローナルであるため、ガンは組織だけでなく全体に転移し得る。また同時に、各動物細胞内で転位による遺伝子機能の低下、破壊ないし活性化がランダムに進行しているので、複数のガンが同一個体内で発生することも予測され、ガンに関与する遺伝子機能の解明を効率よく進めることができる。更に、同一個体内で複数のガンを認めた場合、各々のガン細胞においてトランスポゾンベクターの挿入部位が同じかどうかを調べることによって、ガン細胞が同一の細胞に由来しているかどうかを調べることができ、ガンの転移のメカニズム研究に寄与し得る。
本願発明の第３の態様として、本発明のトランスジェニック非ヒト哺乳動物を臓器提供用ドナーとして使用することができる。例えば、ヒトへの異種間臓器移植のドナーとして考えられる臓器として、具体的には神経細胞、心臓、肺、肝臓、膵臓、腎臓、角膜、皮膚などが挙げられる。この場合、導入される遺伝子は、例えば異種間での臓器移植において、拒絶反応を低減し得る機能を有する遺伝子或いは生着率の上昇を期待し得る機能を有する遺伝子が好ましい。
以下、本発明で用いる発現ベクターの作製方法を具体例を挙げて説明する。なお、この具体例で用いられる出発プラスミド、プロモーター等の構成要素を同等のもので置き換えて実施することは当業者にとって容易である。
発明を実施するための最良の形態
以下、本発明の内容を実施例を用いてより具体的に説明するが、本発明はこれらに何ら限定されるものではない。
方法
・サザンブロット分析
ゲノムＤＮＡは、制限酵素で消化され、０．７％アガロースゲルで分画し、Ｈｙｂｏｎｄ−Ｎ＋ナイロンメンブレン（Ａｍｅｒｓｈａｍ）に移した。ＥＧＦＰを含むｐＣＸ−ＥＧＦＰ（Ｏｋａｂｅ  Ｍ．ｅｔ  ａｌ．ＦＥＢＳ  Ｌｅｔｔ  ４０７，３１３−９（１９９７））の０．７ｋｂ  ＥｃｏＲＩ断片をトランスポゾン特異的バンドを検出するためのプローブとして使用した。ハイブリダイゼーション及び洗浄を標準的な方法（Ｊ．Ｓａｍｂｒｏｏｋ  ｓｔ  ａｌ．；Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂ．Ｐｒｅｓｓ，Ｐｌａｉｎｖｉｅｗ，ＮＹ）（１９８９））により行った。トランスジェニックマウスのトランスポゾンコピー数を評価するために、テイルＤＮＡのバンド強度をＢｉｏ  ｉｍａｇｉｎｇ  ｓｙｓｔｅｍ  ＢＡＳ２５００（Ｆｕｊｉｆｉｌｍ）を用いてトランスポゾンの単一コピーを含むＥＳ細胞クローンに由来するゲノムＤＮＡのものと比較した。
・ＰＣＲ分析
トランスポゾンの切り出しは、以下のプライマーセットを用いたＰＣＲにより検出した：ＴｇＴＰ−２Ｌ，５’−ＡＣＡ  ＣＡＧ  ＧＡＡ  ＡＣＡ  ＧＣＴ  ＡＴＧ  ＡＣＣ  ＡＴＧ  ＡＴＴ  ＡＣＧ−３’及びＴｇＴＰ−１Ｕ，５’−ＧＡＣ  ＣＧＣ  ＴＴＣ  ＣＴＣ  ＧＴＧ  ＣＴＴ  ＴＡＣ  ＧＧＴ  ＡＴＣ−３’。各プライマーは、それぞれｐＴｒａｎｓＣＸ−ＧＦＰ：ＮｅｏのＩＲ／ＤＲ（Ｒ）及びＩＲ／ＤＲ（Ｌ）の外側に位置する。ＰＣＲは、ＨｏｔＳｔａｒＴａｑ  ｓｙｓｔｅｍ（Ｑｉａｇｅｎ）を用い、以下の条件下に行った：９５℃１５分、５０サイクル（９４℃１分、５９℃１分、７２℃１分）、次いで最終工程で７２℃１０分の１サイクル。
トランスジェニックマウスの遺伝子型は、以下のプライマー対を用いて決定した：ＧＦＰ遺伝子に関して（ＥＧＦＰ−１Ｕ，５’−ＣＡＣ  ＣＣＴ  ＣＧＴ  ＧＡＣ  ＣＡＣ  ＣＣＴ  ＧＡＣ  ＣＴＡ−３’及びＥＧＦＰ−１Ｌ，５’−ＣＴＴ  ＧＡＴ  ＧＣＣ  ＧＴＴ  ＣＴＴ  ＣＴＧ  ＣＴＴ  ＧＴＣ  Ｇ−３’）及びＳＢトランスジーンに関して（ＳＢ−２Ｕ，５’−ＴＣＣ  ＴＡＧ  ＡＧＡ  ＴＧＡ  ＡＣＧ  ＴＡＣ  ＴＴＴ  ＧＧＴ−３’およびＳＢ−１Ｌ，５’−ＡＴＣ  ＣＡＣ  ＡＴＡ  ＡＴＴ  ＴＴＣ  ＣＴＴ  ＣＣＴ  ＣＡＴ  Ｇ−３’）。ＰＣＲ条件は、アニーリング温度を５５℃とし、サイクル数を３０とした以外は、上記と同じであった。得られたＰＣＲ産物は、ＧＦＰ遺伝子に関し３１３ｂｐ及びＳＢトランスジーンに関し４６６ｂｐであった。トランスポゾンの新規組込部位でのフランキング配列は、既述のようにＰＣＲ増幅した（Ｉｖｉｃｓ，Ｚ．ｅｔ  ａｌ．，Ｃｅｌｌ  ９１，５０１−１０（１９９７））。ＰＣＲ産物はダイターミネーター（ｄｙｅ  ｔｅｒｍｉｎａｔｏｒ）及びＡＢＩ３７３Ａ  ＤＮＡシークエンサー（Ａｐｐｌｉｅｄ  Ｂｉｏｓｙｓｔｅｍｓ）を用いて直接配列決定した。
・ＧＦＰ発現の測定
出生直後のマウスの尾の先端を切除し、直ちにＧＦＰ−ｓｐｅｃｉｆｉｅｄ  ｆｉｌｔｅｒ（オリンパス、東京、日本）及びオリンパス蛍光倒立顕微鏡を用いてｘ４０の倍率で蛍光強度を観察する。尾全体にＧＦＰ発現を有するマウスをポジティブと判定した。
実施例１プラスミド作製とトランスジェニックマウス樹立
（１）ＳＢトランスジェニックマウスの樹立
ａ）ＳＢトランスジェニックマウスの樹立のためのｐＣＸ−ＳＢコンストラクトの作製（図１ｂ・下）
ｐＳＢ１０プラスミド（Ｚ．Ｉｖｉｃｓ  ｅｔ  ａｌ．；Ｃｅｌｌ，９１：５０１−５１０（１９９７））からＳＢを制限酵素ＳａｃＩＩで切断後、平滑化した。そのＳＢ−ＤＮＡ断片をｐＣＸ−ＥＧＦＰプラスミド（Ｍ．Ｏｋａｂｅ  ｅｔ  ａｌ．；ＦＥＢＳ  Ｌｅｔｔｅｒ，４０７：３１３−３１９（１９９７））の平滑化されたＥｃｏＲＩサイトにＥＧＦＰ断片と入れ換える状態で挿入した後、ＳＢの向きを確認した。
ｂ）ｐＣＸ−ＳＢコンストラクトからＳＢトランスジェニックマウスの樹立
プロモーター・ＳＢ・ＰｏｌｙＡ付加シグナルを含むユニットＤＮＡ断片をｐＣＸ−ＳＢコンストラクトから制限酵素ＳａｌＩ−ＢａｍＨＩで切断し、その後電気泳動して精製する。このＤＮＡ断片約５ｆｇをＢ６Ｃ３Ｆ２マウス受精卵に移入したのち偽妊娠マウスの卵管に移植することにより、その後２０日前後でＳＢトランスジェニックマウスを樹立する（図３右上・「ＳＢ」マウス）。
得られたＳＢトランスジェニックマウス（Ｆｏｕｎｄｅｒ）の系統を樹立するために、野生型マウスと交配したが、ＳＢトランスポゼース遺伝子を含有するマウスを得るには多数の交配を要した。また、２匹のＦｏｕｎｄｅｒマウスのうち、系統を樹立できたのは一方のみであった。
（２）トランスポゾン配列含有トランスジェニックマウスの樹立
ａ）トランスポゾンコンストラクトｐＴｒａｎｓＣＸ−ＧＦＰ：Ｎｅｏの作製（図１ｂ・上）
ｐＴｒａｎｓＣＸ−ＧＦＰは多段階により作製した。ｐＴ／Ｎｅｏプラスミド（Ｚ．Ｉｖｉｃｓ  ｅｔ  ａｌ；Ｃｅｌｌ  ９１：５０１−５１０，１９９７）から３８３塩基対のＩＲ／ＤＲ（Ｒ）断片を、ＢａｍＨＩで切断平滑化、さらにＥｃｏＲＩで切断後単離し、ｐＢｌｕｅｓｃｒｉｐｔＩＩ（Ｓｔｒａｔｅｇｅｎｅ社）のＨｉｎｃＩＩ・ＥｃｏＲＩサイトにクローニングしてｐＢＳ−ＩＲ／ＤＲ（Ｒ）を得た。同様にｐＴ／Ｎｅｏプラスミドから３６３塩基対のＩＲ／ＤＲ（Ｌ）断片を、ＳａｃＩで切断、平滑化、さらにＢａｍＨＩで切断後単離し、ｐＢＳ−ＩＲ／ＤＲ（Ｒ）のＸｂａＩ−ＢａｍＨＩサイトにＸｂａＩ部位を平滑化後クローニングしてｐＢＳ−ＩＲ／ＤＲ（Ｒ，Ｌ）を得た。マウスＰｉｇａ遺伝子（Ｋ．Ｋａｗａｇｏｅ  ｅｔ  ａｌ．；Ｇｅｎｏｍｉｃｓ，２３：５６６−５７４（１９９４））のエクソン２及びイントロン２を含む約１．３ｋ塩基対のＳｐｅＩ−ＳａｃＩ断片をｐＢｌｕｅｓｃｒｉｐｔＩＩのＳｐｅＩ−ＳａｃＩサイトにクローニングしてｐＰｉｇａを得、ＣＡＧプロモーターを含む約１．７ｋ塩基対のＳａｌＩ−ＥｃｏＲＩ断片をｐＣＸ−ＥＧＦＰプラスミドから切り出し、ｐＰｉｇａのＳａｌＩ−ＥｃｏＲＩサイトにクローニングしてｐＣＸ−Ｐｉｇａを得た。ｐＣＸ−ＥＧＦＰプラスミドからＥｃｏＲＩで切り出したＥＧＦＰ断片をｐＣＸ−ＰｉｇａのＥｃｏＲＩサイトにクローニングしてｐＣＸ−ＥＧＦＰ−Ｐｉｇａを得た。ＣＡＧプロモーターを含むｐＣＸ−ＥＧＦＰ−ＰｉｇａをＳａｌＩ−ＳａｃＩで切り出し、その断端を平滑化する。そしてその断片を、ＥｃｏＲＩ及びＢａｍＨＩ部位の両方を平滑化した後、ＩＲ／ＤＲ（Ｒ）とＩＲ−ＤＲ（Ｌ）の間に位置するｐＢＳ−ＩＲ／ＤＲ（Ｒ，Ｌ）のＥｃｏＲＩ−ＢａｍＨＩ部位にクローニングしてｐＴｒａｎｓＣＸ−ＧＦＰを得た。最後に２つのｌｏｘＰ部位ではさまれたＰＧＫ−Ｎｅｏカセット（Ｙ．Ｎａｋａｎｏ  ｅｔ  ａｌ．；Ｅｕｒ．Ｊ．ｏｆ  Ｎｕｅｒｏｓｃｉ．，１１：２５７７−２５８１（１９９９））の２．３ｋｂ  ＮｏｔＩ断片をｐＴｒａｎｓＣＸ−ＧＦＰのユニークなＮｏｔＩサイトにクローニングしてｐＴｒａｎｓＣＸ−ＧＦＰ：Ｎｅｏを作製した。なお、図面において、ポリＡシグナルを「ｐＡ」と略す。ロングバージョンの断片をマイクロインジェクションすることにより、トランスジェニックマウスを作製した。ロングバージョン断片は、ＰＧＫ−Ｎｅｏカセット及びｐＢｌｕｅｓｃｒｉｐｔＩＩベクター骨格を有する全長のＳａｃＩ断片である。
ｂ）ｐＴｒａｎｓＣＸ−ＧＦＰ：Ｎｅｏコンストラクトからのトランスポゾントランスジェニックマウスの樹立
一カ所しか存在しないＳａｃＩでｐＴｒａｎｓＣＸ−ＧＦＰ：Ｎｅｏを直線化し、このＤＮＡ断片約５ｆｇをＢ６Ｃ３Ｆ２マウス受精卵に移入したのち偽妊娠マウスの卵管に移植することにより、その後２０日前後でトランスポゾン配列含有トランスジェニックマウスを樹立する（図３左上・「ＧＦＰ」マウス）。
得られたトランスポゾン配列含有マウス（Ｆｏｕｎｄｅｒ）は、ＳＢトランスジェニックマウスと異なり、野生型マウスと１回交配しただけで、トランスポゾン配列が１／２の確率で発現するマウスを得ることができた。また、得られたマウスは、トランスポゾン配列内にＧＦＰ遺伝子を有しているにもかかわらず、グリーンの蛍光を発しなかった。
（３）トランスジェニックマウスのスクリーニング（図３）
ａ）ｐＴｒａｎｓＣＸ−ＧＦＰ：Ｎｅｏ及びｐＣＸ−ＳＢを両方有するマウス  （１）のＳＢトランスジェニックマウスと（２）のトランスポゾン配列含有トランスジェニックマウスを交配する。得られた出生直後のマウスの尾から採取したＤＮＡをＰＣＲ法により分析し、ｐＴｒａｎｓＣＸ−ＧＦＰ：Ｎｅｏ及びｐＣＸ−ＳＢを両方有するトランスジェニックマウスを選抜する（図３「ＳＢ−ＧＦＰ」マウス）。ｐＴｒａｎｓＣＸ−ＧＦＰ：Ｎｅｏ及びｐＣＸ−ＳＢを両方有するトランスジェニックマウスは、グリーンの蛍光を発しなかった。
ｂ）トランスポゼースによりトランスポゾン配列が転位しグリーンの蛍光を発するマウス
上記ａ）のｐＴｒａｎｓＣＸ−ＧＦＰ：Ｎｅｏ及びｐＣＸ−ＳＢを両方有するトランスジェニックマウス（Ｂ系統；雄及び雌、Ａ系統；雄のみ）と野生型ＩＣＲマウスをそれぞれ交配する。得られた出生直後のマウスの尾を切除し、ＧＦＰ−ｓｐｅｃｉｆｉｅｄ  ｆｉｌｔｅｒ（オリンパス、東京、日本）及びオリンパス蛍光倒立顕微鏡を用いて４０倍で蛍光強度を観察する。ＧＦＰが発現しグリーン蛍光に光る個体を、トランスポゼースによりトランスポゾン配列が転位したマウスとして選抜する（図３写真「Ｍｉｃｅ  ｗｉｔｈ  ｆｌｕｏｒｅｓｃｅｎｃｅ」）。結果を表１に示す。
【表１】
2002013602.tif 000003
表１中、ＧＦＰシグナル陽性マウスの数をＧＦＰ遺伝子陽性マウスの数で割って、ＧＦＰ活性型マウスの頻度を算出した。ＧＦＰ活性型マウスの頻度は、トランスポゾンシステムによりトランスポゾンが移動してＧＦＰ遺伝子が活性化し、グリーン蛍光を呈する率を示している。
Ｂ系統オスについて得られた３６個体のＧＦＰ遺伝子陽性マウス中、２３匹がグリーンの蛍光を発し、Ａ系統オスについて得られた１９個体のＧＦＰ遺伝子陽性マウス中、１０匹がグリーンの蛍光を発していた。また、得られた個体についてＤＮＡをサザンブロット法により解析すると、転位部位に特異的と考えられるバンドを認めた（図４ｂの１−５、１−８、１−９、２−１４）。更に、トランスポゾン配列の周辺領域をＰＣＲ法で増幅して解析すると、転位部位に特異的なＴＡ−トランスポゾン配列−ＴＡの配列と、ｐＴｒａｎｓＣＸ−ＧＦＰ：Ｎｅｏに存在しない転位部位のゲノム由来の配列が同定できた（図５の１−８，１−９）。
また、グリーンの蛍光を発していない（ＧＦＰ遺伝子が不活性の）マウスについても転位部位の有無を調べたところ、サザンブロッティングによる実験結果から、転位部位を有しないマウスも存在するが（図４ｂの１−１）、転位部位を複数有するマウスも存在することが確認された（図４ｂの３−８）。従って、ＧＦＰ活性型マウスの頻度を示す上記表１の結果は過小評価であることが判明した。
産業上の利用の可能性
本発明のトランスジェニック非ヒト哺乳動物又はｆｏｕｎｄｅｒ由来の卵、精子、もしくは受精卵などを用いれば、その系統、更には株化細胞を確立することができ、病態解析及び薬剤スクリーニングなどの研究上有用なツールとなり得る。即ち、用いる非ヒト哺乳動物の病原性に関わる蛋白質をコードする遺伝子に、効率よくランダムに変異を導入できるため、遺伝子の機能が同定されれば、該遺伝子或いは該遺伝子がコードする蛋白質を用いて、遺伝子発現やタンパク質機能を調節できる治療薬をスクリーニングすることができる。所望の系統を確立するためにクローン個体を作成した場合には、一層効率的な研究が期待できる。
また、本発明のトランスジェニック非ヒト哺乳動物からは、特定の遺伝子機能が喪失、低下ないし活性化しており、表現型が変化した疾患動物モデルを容易に得ることができ、医学、薬学などの分野における実験動物として有用である。
更に、本発明のトランスジェニック非ヒト哺乳動物は、神経細胞、心臓、肺、肝臓、膵臓、腎臓、角膜、皮膚などの臓器提供用ドナーとしても有用であり、実際的には、ヒトと類似した大きさの臓器を持つブタなどの哺乳動物が、ヒトの臓器移植の際に極めて役立つと考えられる。
【配列表】
2002013602.tif 000004
2002013602.tif 000005
2002013602.tif 000006
【図面の簡単な説明】
図１ａは、一実施態様としてグリーン蛍光タンパク質（ｇｒｅｅｎ  ｆｌｕｏｒｅｓｃｅｎｃｅ  ｐｒｏｔｅｉｎ；ＧＦＰ）遺伝子とトランスポゾン及びＳｌｅｅｐｉｎｇ  Ｂｅａｕｔｙトランスポゼースを組み合わせた、トランスポゾンの転位検出システムを示す説明図である。
図１ａの左に、両端をトランスポゾンの末端反復配列（「ＧＦＰ」両側の矢印で示される）で挟まれたＧＦＰ遺伝子（「ＧＦＰ」と示される）が複数つながった、ＧＦＰ発現ユニットを示す。この状態では、トランスポゾン配列の両側に存在する配列の影響によりＧＦＰ遺伝子は不活性であるが、「ＳＢ」と示すＳＢトランスポゼースの作用によりトランスポゾン配列が転位すると、トランスポゾン配列両側の配列が切り離され、これによってＧＦＰ遺伝子が発現し、グリーン蛍光を呈する（図１ａの右側）。
図１ｂは、実施例１で得られたトランスポゾンコンストラクトｐＴｒａｎｓＣＸ−ＧＦＰ：Ｎｅｏ（上）及びトランスポゼースコンストラクトｐＣＸ−ＳＢ（下）の概略的説明図である。
図１ｂにおいて、トランスポゾンコンストラクトｐＴｒａｎｓＣＸ−ＧＦＰ：Ｎｅｏは、Ｃｒｅタンパク質を利用して染色体の組換えを誘発するためのｌｏｘＰ配列、マーカー遺伝子ｎｅｏ発現を制御するＰＧＫプロモーター（ＰＧＫ）、細胞レベルでトランスポゾン配列を導入する際の薬剤耐性マーカー、ネオマイシン耐性遺伝子（Ｎｅｏ）、ＩＲ配列（Ｉｎｖｅｒｔｅｄ  Ｒｅｐｅａｔ：ＩＲ）の間に直列反復配列（Ｄｉｒｅｃｔ  Ｒｅｐｅａｔ：ＤＲ）を含むＳＢトランスポゾンの末端反復配列（ＩＲ／ＤＲｓ：逆向きの２つの太い矢印）、ＧＦＰ遺伝子発現を制御するＣＡＧプロモーター（ＣＡＧ）、ＧＦＰ遺伝子、ＧＦＰ遺伝子安定発現のためのＰｉｇａジーンフラグメント由来ＰｏｌｙＡ付加シグナル（ｐＡ）、及びプラスミド配列ｐＢｌｕｅｓｃｒｉｐｔを含む。
なお、本発明者は、図１ｂにおいて示されるＫｐｎＩで消化された４．５ｋｂの短い配列をマウスの受精卵に導入した場合、ゲノムへの挿入部位に関わらずグリーンの蛍光を有するマウスが得られることを確認した。
トランスポゼースコンストラクトｐＣＸ−ＳＢは、ＳＢトランスポゼース発現ベクターであり、ＳＢトランスポゼース遺伝子発現のためのＣＡＧプロモーター（ＣＡＧ）、ＳＢトランスポゼース遺伝子（ＳＢ）、ＳＢトランスポゼース遺伝子安定発現のためのＰｏｌｙＡ付加シグナル（ｐＡ）を含む。
図１ｃは、ＧＦＰプローブを用いたサザンブロッティングによるトランスポゾンコピー数の分析結果を示す図である。
図１ｃの結果より、トランスポゾンコンストラクトｐＴｒａｎｓＣＸ−ＧＦＰ：Ｎｅｏをマイクロインジェクションで受精卵に導入したトランスジェニックマウス（ｌＴＲＡ−ＧＦＰ）には、約２０コピーのｐＴｒａｎｓＣＸ−ＧＦＰ：Ｎｅｏが導入されていることが明らかになった。なお、図１ｃ中、４．５ｋｂのバンドはトランスジェニックマウスのｐＴｒａｎｓＣＸ−ＧＦＰ：Ｎｅｏに由来し、３．５ｋｂのバンドはＧＦＰを１コピーのみ有する細胞（ＥＳ／ＧＦＰ）の５μｇのＤＮＡに由来する。
図２ａは、ｐＴｒａｎｓＣＸ−ＧＦＰ：Ｎｅｏ及びｐＣＸ−ＳＢの両方を有するトランスジェニックマウスにおける、トランスポゾン切除前後を示す説明図である。トランスポゾンの切除前には、ＰＣＲプライマー同士は４．８ｋｂ離れておりＰＣＲ許容範囲を超えている。トランスポゾンの切除が起こると、プライマー同士が近づきＰＣＲで増幅可能になる。
図２ｂは、ｐＴｒａｎｓＣＸ−ＧＦＰ：Ｎｅｏ及びｐＣＸ−ＳＢの両方又はいずれか一方を有するトランスジェニックマウスＤＮＡについての、トランスポゾン切除の有無を示すＰＣＲ分析結果である。図中の＋、−は、サンプルコンストラクト内のＳＢトランスポゼース遺伝子又はＧＦＰ遺伝子の有（＋）無（−）を示す。
ｐＴｒａｎｓＣＸ−ＧＦＰ：Ｎｅｏのみを有するマウス（ＧＦＰ＋ＳＢ−）では３５８ｂｐのバンドは確認されず、ｐＴｒａｎｓＣＸ−ＧＦＰ：Ｎｅｏ及びｐＣＸ−ＳＢの両方を有するマウスサンプル（ＧＦＰ＋ＳＢ＋）についてはトランスポゾン切除後（図２ａ下）の３５８ｂｐＤＮＡ断片のバンドが現れていることから、トランスポゾンの切除はＳＢトランスポゼースにより媒介されることが示される。
図２ｃは、ｐＴｒａｎｓＣＸ−ＧＦＰ：Ｎｅｏ及びｐＣＸ−ＳＢの両方を有するマウスサンプルについて、尾（ｔａｉｌ）及び血液（ｂｌｏｏｄ）由来ＤＮＡを繰返し１０倍希釈してＰＣＲを行い、トランスポゾン配列の切除の頻度を調べた結果である。
図２ｃのバンドはトランスポゾン配列の切除に特異的であり、該マウスサンプルの細胞合計数のうち尾においては少なくとも１０％以上、血液においては少なくとも１％以上と、極めて高頻度でトランスポゾン配列の切除が起こることを示唆する。
図２ｄは、トランスポゾン転位後に残る、標的配列ＴＡに３塩基が挟まれたシグニチャー配列（ＴＡｃａｇＴＡ又はＴＡｃｔｇＴＡ）を示す。
図３は、トランスジェニックマウスの作製フローの１例を示す概略図である。それぞれの作製方法例を実施例１に示す。
図の左上から、「ＧＦＰ」はＳＢトランスポゾンコンストラクト（実施例１ではｐＴｒａｎｓＣＸ−ＧＦＰ：Ｎｅｏ）を有するトランスジェニックマウス、「ＳＢ」はＳＢトランスポゼース遺伝子（実施例１ではｐＣＸ−ＳＢ）を有するトランスジェニックマウス、「ＳＢ−ＧＦＰ」マウスはトランスポゾン配列及びトランスポゼース遺伝子の両方を有するトランスジェニックマウス、ｗｔは野生型マウスを示す。ＧＦＰマウス及びＳＢ−ＧＦＰマウスは、グリーン蛍光を呈さない。写真はトランスポゾンが転位してＧＦＰ遺伝子が発現し、グリーン蛍光を呈するトランスジェニックマウスを示す。
図４ａは、転位前組込部位（Ｐａｒｅｎｔａｌ  ｉｎｔｅｇｒａｔｉｏｎ  ｓｉｔｅ）及び新規組込部位（Ｎｏｖｅｌ  ｉｎｔｅｇｒａｔｉｏｎ  ｓｉｔｅ）の制限地図である。
トランスポゾンコンストラクト（ｐＴｒａｎｓＣＸ−ＧＦＰ：Ｎｅｏ）が最初に挿入された部位を転位前組込部位（Ｐａｒｅｎｔａｌ  ｉｎｔｅｇｒａｔｉｏｎ  ｓｉｔｅ）、また、トランスポゼースの作用により転位したトランスポゾン配列の別の挿入部位を新規組込部位（Ｎｏｖｅｌ  ｉｎｔｅｇｒａｔｉｏｎ  ｓｉｔｅ）として示す。ＡｓｅＩ及びＫｐｎＩ両方の消化により、最初の挿入部位では４ｋｂのフラグメントを得られ、次からの新たな挿入部位では４ｋｂより大きなバンドを得る。
図４ｂは、サザンブロットハイブリダイゼーションによる新規組込部位の検出結果を示す。
ＡｓｅＩ及びＫｐｎＩにより消化されたマウスの尾ＤＮＡについて、ＧＦＰプローブを用いて分析する。トランスポゾン及びトランスポゼースの両方を有するトランスジェニックマウス（ＧＦＰ＋ＳＢ＋）、トランスポゾンのみを有するマウス（ＧＦＰ＋ＳＢ−）、ＧＦＰ＋ＳＢ＋マウスと野生型マウスを交配した子孫であるＧＦＰの蛍光を発したマウス４個体（１−５，１−８，１−９，２−１４）及びＧＦＰの蛍光を発しないマウス２個体（１−１，３−８）のＤＮＡをサンプルとして用いる。
ＧＦＰシグナル（グリーン蛍光）の有無を図の下部に＋、−で示す。図中矢印で示した４ｋｂより大きなバンドは、トランスポゾン転位部位に由来すると考えられる。４ｋｂの強いバンドは、最初にトランスポゾン配列が複数組込まれた部位に対応する。ＧＦＰ蛍光陽性マウスでは、全てに４ｋｂより大きなバンドが存在し、転位が起こったことがわかる。各バンドのサイズが異なっていることから、転位は異なる染色体部位で起こったことがわかる。
図５は、転位前（ｖｅｃｔｏｒ）及び転移後新規組込部位（１−８，１−９）の周辺領域の塩基配列、及び転位の標的部位の塩基配列を示す。トランスポゾン配列の両端フランキング配列であり、標的部位に位置するジヌクレオチドＴＡを太字で示す。
図６は、本発明の１実施例としてのＳＢトランスポゾン及びＣｒｅ／ｌｏｘＰシステムを用いた一連の染色体欠失を示す。図中Ａ、Ｂ、Ｃ、Ｄ、Ｅは、染色体上の領域を表わす。
ｌｏｘＰ配列をトランスポゾン配列（逆方向の矢印で示される）の内外に１つずつ導入しておき、トランスポゼース（ＳＢと示される）によりトランスポゾン配列を転位させる。次にＣｒｅリコンビネース（Ｃｒｅと示される）を作用させることで、トランスポゾン配列外側のｌｏｘＰ配列（図中左側のｌｏｘＰ）とトランスポゾン内側のｌｏｘＰ配列（図中右側のｌｏｘＰ）との間の染色体領域を欠失できる。図中、上段の配列においては領域Ｂが、中段の配列においては領域Ｂ及びＣが、下段の配列においては領域Ｂ、Ｃ及びＤが欠失される。
図７は、逆方向の矢印（ＩＲ／ＤＲ−Ｌ及び−Ｒ）で示すトランスポゾン配列間に上流からスプライスアクセプター、ＩＲＥＳ（ｉｎｔｅｒｎａｌ  ｒｉｂｏｓｏｍｅ  ｅｎｔｒｙ  ｓｉｔｅ）配列、ｌａｃＺマーカー、ｐｏｌｙＡ付加シグナル（ｐＡ）、ＣＡＧプロモーター（Ｐ）、ＧＦＰマーカー、スプライスドナーをこの順で含む遺伝子トラップベクターを示す。
図８ａおよび図８ｂは、非ヒト哺乳動物においてＢｌｏｏｍ遺伝子発現のＯＮ／ＯＦＦをテトラサイクリン依存的に調節するシステムの具体例を示す。
図８ａは、Ｂｌｏｏｍ  ｇｅｎｏｍｅへｔａｒｇｅｔｉｎｇ  ｖｅｃｔｏｒを挿入してｒｅｃｏｍｂｉｎａｎｔ（組換え体）を取得する手順を示す。図中に示す［（ｔＴＡ−ＳＶ４０ｐｏｌｙＡ）−（ＬｏｘＰ−ＴＫＮＥＯｐｏｌｙＡ−ＬｏｘＰ）−（ｈＧＨｐｏｌｙＡ−ｔｅｔｏ）］のコンストラクトをｔｅｔｒａｃｙｃｌｉｎ  ｒｅｇｕｌａｔａｂｌｅ  ｕｎｉｔとしてＢｌｏｏｍ  ｇｅｎｏｍｅに挿入し、テトラサイクリン依存的に転写活性を調節され得る組換え体Ｂｌｏｏｍ  ｇｅｎｏｍｅを得る。
図８ｂは、該組換え体においてテトラサイクリン依存的に転写がＯＮ／ＯＦＦされるしくみを示す。図中１のテトラサイクリン非存在下では、ｔｅｔｒａｃｙｃｌｉｎ  ｒｅｇｕｌａｔａｂｌｅ  ｕｎｉｔにおいて楕円で示したタンパクが合成され、これが該ｕｎｉｔ下流に結合して転写反応が進行する。一方、図中２のテトラサイクリン添加時には、該タンパクのｕｎｉｔ下流への結合をテトラサイクリンが阻害するため、Ｂｌｏｏｍ遺伝子の転写が阻害される。
図９は、ＧＦＰ陽性トランスジェニックマウスにおけるトランスポゾンの転位頻度を示す。
本発明の実施例で作製されたＧＦＰシグナル陽性マウス（トランスポゼースを有さずトランスポジションがＦＩＸされたマウス）について、トランスポゾン配列挿入部位のフランキング配列をｌｉｇａｔｉｏｎ−ｍｅｄｉａｔｅｄ  ＰＣＲで同定する。その後、挿入部位に特異的なプライマーでｎｅｓｔｅｄ  ＰＣＲを行うと、この挿入部位に特異的なバンドが増幅される（図上）。
上記マウス由来のゲノムＤＮＡを薄めると、０．１５−１．５個の細胞に相当する１−１０ｐｇのｔｅｍｐｌａｔｅ  ＤＮＡにおいてもバンドが増幅された（図右下）ことから、挿入部位を含むＤＮＡが１分子のみ存在しても、検出できると考えられる。
上記マウスの親であるＧＦＰ＋ＳＢ＋マウスのｋｉｄｎｅｙ（腎臓）、ｓｐｌｅｅｎ（脾臓）、ｌｉｖｅｒ（肝臓）、ｔａｉｌ（尾）、及びｔｅｓｔｉｓ（精巣）由来のＤＮＡをｔｅｍｐｌａｔｅにしてＰＣＲを行う。０．１μｇのｔｅｓｔｉｓ  ＤＮＡからはバンドが検出されなかったが、１μｇのｔｅｓｔｉｓ  ＤＮＡからはバンドが増幅された（図左下）。
０．１μｇのＤＮＡは１．５×１０４のｄｉｐｌｏｉｄ  ｃｅｌｌに、１μｇのＤＮＡは１．５×１０５のｄｉｐｌｏｉｄ  ｃｅｌｌに相当する。ＰＣＲの検出感度を考慮すると、上記マウス個体において、トランスポゾン挿入部位を有する細胞は約１０万個の細胞に１つと考えられる。Ｔｅｓｔｉｓでは１細胞当たり平均して約１つの割合でトランスポゾンが転位していることが既に分かっていることから、トランスポゾンの挿入部位は約１０万種類存在すると推定される。即ち、１匹の個体からおよそ１０万種類の挿入部位が見出され得ることが示される。
【図１】
2002013602.tif 000007
【図２】
2002013602.tif 000008
【図３】
2002013602.tif 000009
【図４】
2002013602.tif 000010
【図５】
2002013602.tif 000011
【図６】
2002013602.tif 000012
【図７】
2002013602.tif 000013
【図８ａ】
2002013602.tif 000014
【図８ｂ】
2002013602.tif 000015
【図９】
2002013602.tif 000016
【国際調査報告】
2002013602.tif 000017
2002013602.tif 000018
2002013602.tif 000019
2002013602.tif 000020